【手続補正書】
【提出日】令和1年8月20日(2019.8.20)
【手続補正１】
【補正対象書類名】明細書
【補正対象項目名】０００６
【補正方法】変更
【補正の内容】
【０００６】
［１］本発明の第１の形態によれば、液体噴射装置に装着される液体収容体が提供される。重力方向に平行な方向をＺ方向とし、前記Ｚ方向のうちの前記重力方向と同じ方向を＋Ｚ方向とし、前記Ｚ方向のうちの前記重力方向と反対の方向を−Ｚ方向とし、前記Ｚ方向に直交する方向をＹ方向とし、前記Ｙ方向のうちのひとつの方向を＋Ｙ方向とし、前記Ｙ方向のうちの他の方向を−Ｙ方向とし、前記Ｚ方向と前記Ｙ方向とに直交する方向をＸ方向とし、前記Ｘ方向のうちのひとつの方向を＋Ｘ方向とし、前記Ｘ方向のうちの他の方向を−Ｘ方向と定義する。前記液体噴射装置は、ハウジングと、ケースと、装置側固定構造と、液体導入部と、装置側電気接続部と、第１位置決め部と、第２位置決め部と、を備えてよい。前記ハウジングは、ケース収納部が内部に設けられてよい。前記ケースは、前記＋Ｙ方向に沿って移動することによって前記ケース収納部に挿入されてよい。前記ケースは、凸部と、ケース側固定構造と、を有してよい。前記凸部は、前記＋Ｙ方向側の端部において前記−Ｚ方向側に突出していてよい。前記ケース側固定構造は、前記凸部の内部空間を含んでよい。前記ケース側固定構造は、前記ケースが前記ケース収納部に装着されたケース収納状態において、前記ケースに対して前記−Ｚ方向側に向かう力を付与した状態で、前記装置側固定構造に係合して、前記ケースの前記−Ｙ方向への移動を規制してよい。前記液体導入部は、前記ケース収納部の前記＋Ｙ方向側の端部に位置してよい。前記装置側電気接続部は、前記ケース収納部の前記＋Ｙ方向側の端部に位置していてよい。前記第１位置決め部および前記第２位置決め部は、前記ケース収納部の前記＋Ｙ方向側の端部から前記−Ｙ方向側に向かって延びており、前記液体導入部を挟んで前記Ｘ方向において互いに離間した位置に設けられていてよい。前記液体収容体は、前記液体噴射装置の前記ケースに対して着脱可能に構成されてよい。前記液体収容体は、収容部と、接続部材と、を備えてよい。前記収容部は、可撓性を有し、液体を収容してよい。前記接続部材は、前記液体収容体が前記液体噴射装置に装着された装着状態にあるときに、前記＋Ｙ方向側の端部に位置してよい。前記接続部材には、液体導出口と、収容体側電気接続部と、第１受入部と、第２受入部と、凹部と、が設けられてよい。前記液体導出口は、前記装着状態において前記＋Ｙ方向に前記液体導入部が挿入されてよい。前記収容体側電気接続部は、前記装着状態において前記装置側電気接続部から少なくとも前記＋Ｚ方向の成分を有する力を受けつつ、前記装置側電気接続部に電気的に接触してよい。前記第１受入部は、前記装着状態において前記第１位置決め部を受け入れてよい。前記第２受入部は、前記装着状態において前記第２位置決め部を受け入れてよい。前記凹部は、前記装着状態において前記−Ｚ方向に窪んでおり、前記ケースの前記凸部が収容されてよい。前記凹部と前記収容体側電気接続部とは、前記装着状態の姿勢において前記Ｚ方向に見たときに少なくとも一部が互いに重なり合う位置に形成されてよい。前記装着状態の姿勢において、前記液体収容体の前記Ｚ方向における幅は、前記Ｙ方向における幅、および、前記Ｘ方向における幅よりも小さくてよい。
この形態の液体収容体によれば、収容体側電気接続部が装置側電気接続部から受ける＋Ｚ方向の力の少なくとも一部が、ケースの係合状態を形成するために装置側固定構造がケース側固定構造に付与する−Ｚ方向の力によって低減される。よって、液体収容体に付与されるＺ方向の力の成分が低減され、液体収容体の配置姿勢が、適正な姿勢からＺ方向にずれてしまうことが抑制され、液体噴射装置に対する液体収容体の接続状態が改善される。また、液体収容体の配置姿勢の悪化によって液体噴射装置と液体収容体との接続部位に無駄な応力が生じてしまうことが抑制されるため、当該接続部位の損傷・劣化が抑制される。また、この形態の液体収容体によれば、装着状態の姿勢において、Ｚ方向における幅が他のＸ方向およびＹ方向における幅よりも小さいため、液体収容体のケース上での配置姿勢が、より安定化する。よって、液体噴射装置に対する液体収容体の接続状態がさらに改善される。
【手続補正２】
【補正対象書類名】明細書
【補正対象項目名】０００９
【補正方法】変更
【補正の内容】
【０００９】
［４］上記形態の液体収容体において、前記収容体側電気接続部および前記凹部は、前記装着状態の姿勢にされたときに、前記Ｘ方向において、前記液体導出口と前記第１受入部との間に位置してよい。この形態の液体収容体によれば、一対の位置決め部と一対の受入部とによって、液体導入部に対する液体導出口のＸ方向における位置決め精度とともに、装置側電気接続部に対する収容体側電気接続部の位置決め精度が高められる。よって、液体導入部と液体導出口との接続性および装置側電気接続部と収容体側電気接続部との電気的接続性が改善される。また、液体導出口と第１受入部との間に収容体側電気接続部および凹部が設けられている分だけ、第１受入部と第２受入部との間のＸ方向における距離が大きくなり、一対の位置決め部と一対の受入部とによる位置決め精度がより高められる。
【手続補正３】
【補正対象書類名】明細書
【補正対象項目名】００１１
【補正方法】変更
【補正の内容】
【００１１】
［６］本発明の第２の形態によれば、液体噴射システムが提供される。この液体噴射システムは、液体噴射装置と、液体収容体と、を備えてよい。重力方向に平行な方向をＺ方向とし、前記Ｚ方向のうちの前記重力方向と同じ方向を＋Ｚ方向とし、前記Ｚ方向のうちの前記重力方向と反対の方向を−Ｚ方向とし、前記Ｚ方向に直交する方向をＹ方向とし、前記Ｙ方向のうちのひとつの方向を＋Ｙ方向とし、前記Ｙ方向のうちの他の方向を−Ｙ方向とし、前記Ｚ方向と前記Ｙ方向とに直交する方向をＸ方向とし、前記Ｘ方向のうちのひとつの方向を＋Ｘ方向とし、前記Ｘ方向のうちの他の方向を−Ｘ方向と定義する。前記液体噴射装置は、ハウジングと、ケースと、装置側固定構造と、液体導入部と、装置側電気接続部と、第１位置決め部と、第２位置決め部と、を備えてよい。前記ハウジングの内部には、ケース収納部が設けられてよい。前記ケースは、前記＋Ｙ方向に沿って移動することによって前記ケース収納部に挿入されてよい。前記ケースは、凸部と、ケース側固定構造と、を有してよい。前記凸部は、前記＋Ｙ方向側の端部において前記−Ｚ方向側に突出してよい。前記ケース側固定構造は、前記凸部の内部空間を含んでよい。前記装置側固定構造は、前記ケースが前記ケース収納部に装着されたケース収納状態において、前記ケースに対して前記−Ｚ方向側に向かう力を付与した状態で、前記ケース側固定構造に係合して、前記ケースの前記−Ｙ方向への移動を規制してよい。前記液体導入部は、前記ケース収納部の前記＋Ｙ方向側の端部に位置してよい。前記装置側電気接続部は、前記ケース収納部の前記＋Ｙ方向側の端部に位置してよい。前記第１位置決め部および前記第２位置決め部は、前記ケース収納部の前記＋Ｙ方向側の端部から前記−Ｙ方向側に向かって延びており、前記液体導入部を挟んで前記Ｘ方向において互いに離間した位置に設けられていてよい。前記液体収容体は、前記ケースに着脱可能に構成されてよい。前記液体収容体は、収容部と、接続部材と、を備えてよい。前記収容部は、可撓性を有し、液体を収容してよい。前記接続部材は、前記液体収容体が前記液体噴射装置に装着された装着状態にあるときに、前記＋Ｙ方向側の端部に位置してよい。前記接続部材には、液体導出口と、収容体側電気接続部と、第１受入部と、第２受入部と、凹部と、が設けられてよい。前記液体導出口は、前記装着状態において前記＋Ｙ方向に前記液体導入部が挿入されてよい。前記収容体側電気接続部は、前記装着状態において前記装置側電気接続部から少なくとも前記＋Ｚ方向の成分を有する力を受けつつ、前記装置側電気接続部に電気的に接触してよい。前記第１受入部は、前記装着状態において前記第１位置決め部を受け入れてよい。前記第２受入部は、前記装着状態において前記第２位置決め部を受け入れてよい。前記凹部は、前記装着状態において前記−Ｚ方向に窪んでおり、前記ケースの前記凸部が収容されてよい。前記凹部と前記収容体側電気接続部とは、前記装着状態の姿勢において前記Ｚ方向に見たときに少なくとも一部が互いに重なり合う位置に形成されてよい。前記装着状態の姿勢において、前記液体収容体の前記Ｚ方向における幅は、前記Ｙ方向における幅、および、前記Ｘ方向における幅よりも小さくてよい。
この形態の液体噴射システムによれば、液体収容体において収容体側電気接続部が装置側電気接続部から受ける＋Ｚ方向の力の少なくとも一部が、ケースの係合状態を形成するために装置側固定構造がケース側固定構造に付与する−Ｚ方向の力によって低減される。よって、液体収容体に付与されるＺ方向の力の成分が低減され、液体収容体の配置姿勢が、適正な姿勢からＺ方向にずれてしまうことが抑制され、液体噴射装置に対する液体収容体の接続状態が改善される。また、液体収容体の配置姿勢の悪化によって液体噴射装置と液体収容体との接続部位に無駄な応力が生じてしまうことが抑制されるため、当該接続部位の損傷・劣化が抑制される。また、この形態の液体噴射システムによれば、装着状態の姿勢にあるときの液体収容体のＺ方向における幅が、他のＸ方向およびＹ方向における幅よりも小さいため、液体収容体のケース上での配置姿勢が、より安定化する。よって、液体噴射装置に対する液体収容体の接続状態がさらに改善される。
【手続補正４】
【補正対象書類名】明細書
【補正対象項目名】００１９
【補正方法】変更
【補正の内容】
【００１９】
【図１】液体噴射装置の外観構成を示す概略斜視図。
【図２】液体噴射装置の内部構成を示す第１の概略図。
【図３】液体噴射装置の内部構成を示す第２の概略図。
【図４】液体供給部を抜き出して示す概略斜視図。
【図５】液体供給部が備える接続受入部を抜き出して示す概略斜視図。
【図６】第１ケースに配置された状態の第１液体収容体を示す概略斜視図。
【図７】第１ケースから第１液体収容体を取り出した状態を示す第１の概略分解斜視図。
【図８】第１ケースから第１液体収容体を取り出した状態を示す第２の概略分解斜視図。
【図９Ａ】第１ケースの接続部材の近傍を抜き出して示す概略斜視図。
【図９Ｂ】収容体側電気接続部の近傍を抜き出して示す概略斜視図。
【図１０Ａ】第１ケースの蓋部材を示す第１の概略斜視図。
【図１０Ｂ】第１ケースの蓋部材を示す第２の概略斜視図。
【図１１】第１ケースの前面壁部を示す概略図。
【図１２】第１ケースの底面壁部の下面側の構成を示す概略斜視図。
【図１３】第２ケースに配置された状態の第２液体収容体を示す概略斜視図。
【図１４】第２ケースから第２液体収容体を取り出した状態を示す第１の概略分解斜視図。
【図１５】第２ケースから第２液体収容体を取り出した状態を示す第２の概略分解斜視図。
【図１６】第２ケースに配置された状態の第２液体収容体を−Ｙ方向に見たときの概略図。
【図１７】第２ケースの前面壁部を示す概略図。
【図１８】第２ケースの底面壁部の下面側の構成を示す概略斜視図。
【図１９】接続受入部に対する液体収容体の装着メカニズムを説明するための概略図。
【図２０Ａ】被係合部に対する係合部の係合が完了するまでのメカニズムを説明するための概略図。
【図２０Ｂ】係合部と係合部との係合状態を解除するときのメカニズムを説明するための概略図。
【図２１Ａ】液体収容体を梱包する方法を説明するための第１の模式図。
【図２１Ｂ】液体収容体を梱包する方法を説明するための第２の模式図。
【図２２】第２実施形態の液体収容体の構成を示す概略斜視図。
【図２３】第３実施形態の液体収容体の構成を示す概略斜視図。
【図２４】第４実施形態の液体収容体の構成を示す概略斜視図。
【図２５】第５実施形態のケースを示す概略斜視図。
【図２６】第６実施形態における液体収容体およびケースを示す第１の概略図。
【図２７】第６実施形態における液体収容体およびケースを示す第２の概略図。
【図２８】第６実施形態における液体収容体およびケースを示す第３の概略図。
【図２９】第７実施形態としての液体収容体とケースの第１の組み合わせ例を示す概略図。
【図３０】第７実施形態としての液体収容体とケースの第２の組み合わせ例を示す概略図。
【図３１】第７実施形態としての液体収容体とケースの第３の組み合わせ例を示す概略図。
【手続補正５】
【補正対象書類名】明細書
【補正対象項目名】００４８
【補正方法】変更
【補正の内容】
【００４８】
装置側電気接続部５２は、液体収容体１００に対して電気的に接続されるコネクターである。装置側電気接続部５２は、ケース収納部６０の＋Ｙ方向側の端部に位置する（図３）。装置側電気接続部５２は、Ｘ方向に配列された複数の端子部５２ｔを有している。各端子部５２ｔは、装置側電気接続部５２の表面から突出しており、液体収容体１００の収容体側電気接続部（後述）に接触して電気的に接続される。各端子部５２ｔは、板バネなどの弾性部材によって、その突出方向に付勢されていることが望ましい。本実施形態では、装置側電気接続部５２は、液体収容体１００の収容体側電気接続部の配置角度に対応する傾斜角度で配置されている。装置側電気接続部５２は、その表面の法線ベクトルが、−Ｙ方向のベクトル成分と、＋Ｚ方向のベクトル成分と、を有するように、斜め下方を向いて配置されている。
【手続補正６】
【補正対象書類名】明細書
【補正対象項目名】００６５
【補正方法】変更
【補正の内容】
【００６５】
ケース収納部６０の床面には、複数のレール溝６４が形成されている（図３）。各レール溝６４は、各液体収容体１００の配置領域ＬＡごとに、ケース収納部６０のＹ方向の全域にわたって直線状に形成されている。各レール溝６４には、ケース６１の下面に設けられたレールリブ（後述）が嵌合する。レール溝６４によって、液体噴射装置１０の内部におけるケース６１のＹ方向の移動がガイドされ、Ｘ方向において隣り合うケース６１同士の接触が抑制される。また、接続受入部５０に対する液体収容体１００の接続が簡易化される。なお、レール溝６４およびそれに対応するレールリブの構成は、誤装着の防止のために、ケース６１ごとに異なっていてもよい。また、レール溝６４の一部または全部は省略されてもよい。
【手続補正７】
【補正対象書類名】明細書
【補正対象項目名】００６６
【補正方法】変更
【補正の内容】
【００６６】
ケース収納部６０の床面には、複数のローラー６５が設置されている（図３）。各ローラー６５は、各液体収容体１００の配置領域ＬＡごとに、Ｙ方向に適宜、分散して配列されている。ケース収納部６０では、各ローラー６５の回転によって、ケース６１をＹ方向へ移動させるときの移動抵抗が低減され、ユーザーによるケース６１の移動操作が円滑化される。ローラー６５は省略されてもよい。
【手続補正８】
【補正対象書類名】明細書
【補正対象項目名】０１３８
【補正方法】変更
【補正の内容】
【０１３８】
中央凸部２２１は、第１突出壁部２２５と、第２突出壁部２２６と、を有する。第１突出壁部２２５は、第２壁面２２３の−Ｘ方向側の端部において、第１壁面２２２が延在している方向に沿って、−Ｙ方向側に、第２壁面２２３からわずかに延び出ている。第２突出壁部２２６は被係合部として機能する壁部である。以下では、第２突出壁部２２６を被係合部２２６と呼ぶ場合もある。第２突出壁部２２６は、第２壁面２２３の＋Ｘ方向側の端部において、第３壁面２２４が延在している方向に沿って、−Ｙ方向側に第２壁面２２３からわずかに延び出ている。
【手続補正９】
【補正対象書類名】明細書
【補正対象項目名】０１４９
【補正方法】変更
【補正の内容】
【０１４９】
これによって、突起部５４ｐは、第４溝部２１５ｄに位置することになるため、＋Ｙ方向への移動が許容された状態となる。つまり、ケース側固定構造２２０と装置側固定構造５４との係合状態が解除された状態となる。上述したリブ２１６への突起部５４ｐの衝突によって生じるクリック音によって、ユーザーは、ケース側固定構造２２０と装置側固定構造５４との係合状態が解除されたことを知ることができる。突起部５４ｐの＋Ｙ方向への移動が許容されると、基端部材５７（図１９）によって＋Ｙ方向に付与される力によって、液体収容体１００およびケース６１は自動的に−Ｙ方向に移動する。基端部材５７が接続受入部５０から離れた後は、ユーザーがケース６１を引き出すことによって、液体収容体１００を取り出すことができる。以上の説明からもわかるとおり、溝部２１５は、突起部５４ｐを案内するループ状の案内経路を構成している。当該案内経路の入口部分と出口部分とは共通である。案内経路は、途中に設けられている突起部５４ｐを係止する係止部２２６と、入口側案内路と、出口側案内路と、によって構成される。入口側案内路は、前述した入口部分から係止部２２６までの経路部分である。出口側案内路は、係止部２２６から前述した出口部分までの経路部分である。
【手続補正１０】
【補正対象書類名】明細書
【補正対象項目名】０１６０
【補正方法】変更
【補正の内容】
【０１６０】
第３実施形態の液体収容体１００Ｃは、液体導出口１３１の上方の領域にのみ−Ｙ方向に突出している保護壁部１３６が設けられている。保護壁部１３６は、液体収容体１００において−Ｙ方向に最も突出している。保護壁部１３６のＸ方向における中央にはＹ方向に延びているスリット１３６ｓが形成されている。スリット１３６ｓは省略されてもよい。第３実施形態の液体収容体１００Ｃであっても、保護壁部１３６によって、液体導出口１３１の保護性が高められている。
【手続補正１１】
【補正対象書類名】明細書
【補正対象項目名】０１６７
【補正方法】変更
【補正の内容】
【０１６７】
開閉蓋部２３５の外周端部には、第１側壁部２０１および第２側壁部２０２に係合可能な爪部２３７が設けられている。なお、蓋部材２０３を省略して、開閉蓋部２３５のみによって、収容部１１０ａの上方が覆われるように構成されていてもよい。また、開閉蓋部２３５のヒンジ部２３６や爪部２３７は省略されてもよい。開閉蓋部２３５は、第１実施形態で説明した第２ケース６１ｂに適用されてもよい。なお、第５実施形態のケース６１Ｅによれば、上述した以外にも、第１実施形態で説明した種々の作用効果を奏することができる。
【手続補正１２】
【補正対象書類名】図面
【補正対象項目名】図２０Ａ
【補正方法】変更
【補正の内容】
【図２０Ａ】
2018024195.tif 000001
【手続補正１３】
【補正対象書類名】図面
【補正対象項目名】図２０Ｂ
【補正方法】変更
【補正の内容】
【図２０Ｂ】
2018024195.tif 000002